【事件の表示】
　特許第２８３０１０１号「電子鍵盤楽器の鍵盤装置」の請求項１ないし３、５ないし１４、１６ないし２４、２６に係る特許に対する特許異議の申立てについて、次のとおり決定する。
【結論】
　訂正を認める。
　特許第２８３０１０１号の請求項１、１２、２３ないし２４に係る特許を維持する。
【理由】
［１］手続の経緯
　本件特許２８３０１０１号の発明は、平成１年７月１２日（優先権主張昭和６３年１２月２８日）に特許出願され、平成１０年９月２５日にその特許の設定登録がなされ、その後、矢野寛より特許異議の申立がなされ、取消理由通知がなされ、その指定期間内である平成１１年１０月１４日に訂正請求がされたものである。
［２］訂正の適否についての判断
［２−１］訂正明細書の発明
　訂正明細書の特許請求の範囲の請求項１〜７に係る発明（以下まとめて「本件発明」という）は、その特許請求の範囲の請求項１〜７に記載された次のとおりのものである。
「【請求項１】鍵盤シャーシ上に上下方向に回動可能に設けられた鍵と、前記鍵の下側に上下方向に回動可能に配置され、前記鍵の押鍵操作に伴って回動変位する第１のハンマーアームと、外部からの押圧操作に応答して、発生すべき楽音の発音開始を指示するための発音指示手段と、前記鍵の下側に上下方向に回動可能に配置され、前記第１のハンマーアームの回動変位に連動して回動変位し、前記発音指示手段を押圧する第２のハンマーアームと、前記鍵盤シャーシと前記第１のハンマーアームとの間に設けられ、該第１のハンマーアームの一部を前記鍵に当接させる方向に付勢するばね部材と、を備えたことを特徴とする電子鍵盤楽器の鍵盤装置。
　【請求項２】鍵盤シャーシ上に上下方向に回動可能に設けられた鍵と、前記鍵の押鍵操作に伴って回動変位する第１のハンマーアームと、外部からの押圧操作に応答して、発生すべき楽音の発音開始を指示するための発音指示手段と、前記第１のハンマーアームの回動変位に連動して回動変位し、前記発音指示手段を押圧する第２のハンマーアームと、前記第１のハンマーアームの左右の横ぶれを阻止するために前記鍵盤シャーシ上に設けられたガイド部材と、を備えたことを特徴とする電子鍵盤楽器の鍵盤装置。
　【請求項３】鍵盤シャーシ上に上下方向に回動可能に設けられた鍵と、前記鍵の下側に上下方向に回動可能に配置され、前記鍵の押鍵操作に伴って回動変位する第１のハンマーアームと、外部からの押圧操作に応答して、発生すべき楽音の楽音パラメータを指示するためのパラメータ指示手段と、前記鍵の下側に上下方向に回動可能に配置され、前記第１のハンマーアームの回動変位に連動して回動変位し、前記パラメータ指示手段を押圧する第２のハンマーアームと、前記鍵盤シャーシと前記第１のハンマーアームとの間に設けられ、該第１のハンマーアームの一部を前記鍵に当接させる方向に付勢するばね部材と、を備えたことを特徴とする電子鍵盤楽器の鍵盤装置。
　【請求項４】鍵盤シャーシ上に上下方向に回動可能に設けられた鍵と、前記鍵の押鍵操作に伴って回動変位する第１のハンマーアームと、外部からの押圧操作に応答して、発生すべき楽音の楽音パラメータを指示するためのパラメータ指示手段と、前記第１のハンマーアームの回動変位に連動して回動変位し、前記パラメータ指示手段を押圧する第２のハンマーアームと、前記第１のハンマーアームの左右の横ぶれを阻止するために前記鍵盤シャーシ上に設けられたガイド部材と、を備えたことを特徴とする電子鍵盤楽器の鍵盤装置。
　【請求項５】鍵盤シャーシ上に上下方向に回動可能に設けられた鍵と、前記鍵盤シャーシに対し、互いに所定の間隔をおいて回動可能に設けられた第１および第２のハンマーアームと、前記鍵の下面に設けられ、前記第１のハンマーアームの回動中心よりも前記鍵の前側に位置する箇所の前記第１のハンマーアームを押圧する押圧突起と、前記第１のハンマーアームにその回動中心よりも前記鍵の後側に位置して設けられた長孔と、前記第２のハンマーアームに設けられ、前記第１のハンマーアームの前記長孔内をスライドする連結ピンを有する連結アーム部と、この連結アーム部によって回動変位する前記第２のハンマーアームにより押圧操作され、これに応答して発生すべき楽音の特性を指示する楽音特性指示手段とを備えており、前記鍵の押鍵操作時に、前記鍵の下面に設けられた前記押圧突起が前記第１のハンマーアームを押圧操作して回動変位させ、これに応答して該第１のハンマーアームが前記長孔内をスライドする前記連結ピンを介して前記連結アーム部を押圧操作し、該連結アーム部が前記第２のハンマーアームを押圧操作して回動変位させ、これに応答して該第２のハンマーアームが前記楽音特性指示手段を押圧操作することを特徴とする電子鍵盤楽器の鍵盤装置。
　【請求項６】鍵盤シャーシ上に上下方向に回動可能に設けられた鍵と、前記鍵盤シャーシに対し、互いに所定の間隔をおいて回動可能に設けられた第１および第２のハンマーアームと、前記第１のハンマーアームにその回動中心よりも前記鍵の前側に位置して前記鍵盤シャーシの上方に向けて延設され、前記鍵の下面が直接当接する第１の当接部と、前記第１のハンマーアームの回動中心よりも前記鍵の後側における前記鍵盤シャーシの下側に位置した状態で前記第１のハンマーアームに設けられ、前記第１の当接部が前記鍵の下面に当接する方向に向けて前記第１のハンマーアームを回動変位させる方向に付勢する第１の錘と、前記第１および第２のハンマーアームのいずれか一方に前記第１のハンマーアームの回動中心よりも前記鍵の後側に位置して設けられ、そのいずれか他方に当接する第２の当接部と、前記第２のハンマーアームに設けられ、前記第２の当接部を介して前記第１の錘を押し下げる第２の錘と、前記第１のハンマーアームによって回動変位する前記第２のハンマーアームにより押圧操作され、これに応答して発生すべき楽音の特性を指示する楽音特性指示手段とを備えており、前記鍵が押鍵されないときに、前記第２のハンマーアームの前記第２の錘が前記第２の当接部を介して前記第１のハンマーアームの前記第１の錘を押し下げ、この第２の錘と共に、前記第１の錘が前記第１の当接部を前記鍵の下面に当接させる方向に向けて前記第１のハンマーアームを回動変位させる方向に付勢し、また、前記鍵の押鍵操作時に、前記鍵の下面が前記第１のハンマーアームの前記第１の当接部を押圧操作して該第１のハンマーアームを回動変位させ、これに応答して該第１のハンマーアームが前記第２の当接部を介して前記第２のハンマーアームを押圧操作して回動変位させ、これに応答して該第２のハンマーアームが前記楽音特性指示手段を押圧操作することを特徴とする電子鍵盤楽器の鍵盤装置。
　【請求項７】鍵盤シャーシ上に設けられ、押鍵操作に応答して上下方向に回動する鍵と、前記鍵の上下方向の回動に連動して回動する第１のハンマーアームと、前記第１のハンマーアームの回動に伴い、該第１のハンマーアームに連動して回動する第２のハンマーアームと、前記鍵盤シャーシに設けられ、前記第１のハンマーアームの回動によって前記第２のハンマーアームが回動する際に、該第１のハンマーアームの回動を規制するアーム規制手段と、前記第２のハンマーアームの回動によって押圧操作され、この押圧操作に応じて発生すべき楽音の特性を指示する楽音特性指示手段と、を備えていることを特徴とする電子鍵盤楽器の鍵盤装置。」
［２−２］訂正の目的の適否、新規事項の有無及び拡張・変更の存否
　特許権者が求めている訂正の内容は、請求項１〜２６を請求項１〜７に訂正するものである。以下、詳細に検討する。
　▲１▼訂正明細書の請求項１は、もとの特許明細書の請求項（以下、「もとの請求項」という）１にもとの請求項３の構成を実質的に付加して限定するようにしたもので、「鍵盤シャーシと前記第１のハンマーアームとの間に設けられ、該第１のハンマーアームの一部を前記鍵に当接させる方向に付勢するばね部材」を設けた構成を追加することで特許請求の範囲の減縮を行うとともに、不明瞭な記載を明瞭にしようとするものである。ここで、「鍵に当接させる方向に付勢するばね部材」は図面の第９図に示された明細書の第６実施例に記載の「圧縮コイルバネ９１」に基づくものである。
　▲２▼訂正明細書の請求項２は、もとの請求項１を引用する、異議申立のないもとの請求項４を、独立形式で記載し、項番号を変更したものである。
　▲３▼訂正明細書の請求項３は、もとの請求項１２にもとの請求項１４の構成を実質的に付加して限定するようにしたもので、訂正明細書の請求項１と同内容の訂正である。
　▲４▼訂正明細書の請求項４は、もとの請求項１２を引用する、異議申立のないもとの請求項１５を、独立形式で記載し、項番号を変更したものである。
　▲５▼訂正明細書の請求項５は、もとの請求項２３を、特許明細書の第１０実施例に基づいて、鍵盤装置を形成する各構成要件とそれらの配置関係を限定するとともに、鍵操作時の、第１，第２のハンマーアーム、連結アーム部の伝達経路を明瞭にするものである。
　▲６▼訂正明細書の請求項６は、もとの請求項２４を、特許明細書の第５、第６、第７、第１１実施例に基づいて、鍵盤装置を形成する各構成要件とそれらの配置関係を限定するとともに、鍵操作時の第１，第２のハンマーアーム、当接部の伝達経路を明瞭にするものである。
　▲７▼訂正明細書の請求項７は、異議申立のないもとの請求項２５の項番号を変更したものである。
　▲８▼もとの請求項２〜３、５〜１１、１３〜１４、１６〜２２、２６を削除する訂正は、特許請求の範囲の減縮を行うものである。
　したがって、上記訂正は、特許明細書の記載に基づいて、特許請求の範囲を更に限定し、特許請求の範囲の減縮または明瞭でない記載の釈明に該当するものであって、新規事項の追加に該当せず、実質的に特許請求の範囲を拡張又は変更するものではない。
［２−３］独立特許要件の判断
［２−３−１］第２９条
（引用刊行物）
　本件発明に対して、当審が通知した取消理由で引用した刊行物１（特開昭６２−２０８０９２号公報）には、鍵１３ａの押鍵操作に連動してサポート２１が回動し、同サポート２１の回動に連動してジャック３８を介してハンマ１４が回動し、同ハンマ１４が圧電素子４４を打撃するようにした電子楽器が示されている（第２頁右下欄第１９行〜第４頁右上欄第１８行、第４頁左下欄第３行〜第５行及び第１図）。
　同じく引用した刊行物２（実公昭５３−４９３７５号公報）には、鍵１の押鍵操作に連動してウイペン１６が回動し、同ウイペン１６の回動に連動してレバー５が回動し、このレバー５の回動により、同レバー５の先端に設けた磁気感応素子９を固定磁石１０に応答させて、鍵タッチの強さ又は速さに応じて音量を制御するようにした電子楽器が示されて、「重錘８はレバー５の磁気感応素子９が設けられている側と反対側に設けられる。」と記載されている。（第１頁第１欄第２１〜２７行、第１頁第２欄第３４行〜第２頁第３欄第２３行、第３頁第５欄第２０〜２６行、第３頁第５欄第３２〜３４行及び第８図）。
　同じく引用した刊行物３（特開昭５０−７２６１９号公報）には、鍵盤２の押鍵操作に連動してハンマー１１が回動し、この回動したハンマー１１が圧電素子からなるセンサー２７を打撃し、同センサー２７から打撃の強弱に応じた出力電圧を発生する鍵盤装置が示されている（第２頁左下欄第１行〜第３頁左上欄第２０行及び第１図）。また、センサー２７の出力で楽音信号の発生を鍵タッチに応じて発生開始する旨が記載されている（第３頁右下欄第１６行〜第４頁左上欄第７行及び第７図）。
　同じく引用した刊行物４（実願昭６１一１７７１５９号（実開昭６３−８２２９６号公報）のマイクロフィルム）には、鍵３３の押鍵操作に連動してハンマ４１が回動し、この回動したハンマ４１のスイッチ駆動部５０がスイッチ５２をオンする鍵盤装置が示されている（第１０頁第３行〜第１９頁第１０行及び第２図）。
　同じく引用した刊行物５（実公昭６１一３４５５３号公報）には、鍵１の押鍵操作に連動してレバー１０が回動し、この回動したレバー１１が揺動子１６，１７を介してリーフスイッチ１８の接点１８ａ，１８ｂを開閉させる鍵盤装置が示されている（第２頁第３欄第２４行〜第３頁第５欄第４行、第３頁第５欄第７行〜第６欄第１６行、第１図及び第４図）。
（対比・判断）
　以下、各請求項について対比判断をする。
　【請求項１】について
　請求項１に係る発明と、刊行物１又は２に記載された発明と対比すると、鍵と鍵盤シャーシと第１と第２のハンマーアームを有する鍵盤装置であるという基本的な点で共通しているが、請求項１に係る発明は、「鍵盤シャーシと第１のハンマーアームとの間に設けられ、該第１のハンマーアームの一部を鍵に当接させる方向に付勢するばね部材」を備える構成（以下、「構成Ａ」という）を、必須の構成要件とするのに対して、刊行物１又は２には、上記構成Ａが記載されていない。
　そして、刊行物３〜５のいずれにも、構成Ａは記載されていない。
　上記構成Ａにより、請求項１に係る発明の鍵盤装置は、明細書に記載の「鍵２が強く弾かれたとき、第１のハンマーアーム２１が急激に回動変位しようとするのをより一層防止する」効果（以下、「効果Ｐ」という）を奏するものである。
　よって、請求項１に係る発明が刊行物１〜５に記載された発明であるとも、刊行物１〜５記載のものから容易に発明をすることができたものともいえない。
　【請求項３】について
　請求項３に係る発明は、請求項１と同様の理由で、刊行物１〜５に記載された発明であるとも、刊行物１〜５記載のものから容易に発明をすることができたものともいえない。
　【請求項５】について
　請求項５に係る発明と刊行物１又は２に記載された発明とを対比すると、鍵と鍵盤シャーシと第１と第２のハンマーアームを有する鍵盤装置であるという基本的な点で共通しているが、請求項５に係る発明は、「第１のハンマーアームにその回動中心よりも前記鍵の後側に位置して設けられた長孔と、前記第２のハンマーアームに設けられ、前記第１のハンマーアームの前記長孔内をスライドする連結ピンを有する連結アーム部」を備える構成（以下、「構成Ｂ」という）を、必須の構成要件とするのに対して、刊行物１又は２には、上記構成Ｂが記載されていない。
　そして、刊行物３〜５のいずれにも、構成Ｂは記載されていない。
　上記構成Ｂにより、請求項５に係る発明の鍵盤装置は、明細書に記載の効果を奏するものである。
　よって、請求項５に係る発明が刊行物１〜５に記載された発明であるとも、刊行物１〜５記載のものから容易に発明をすることができたものともいえない。
　【請求項６】について
　請求項６に係る発明と刊行物２に記載された発明とを対比すると、鍵と鍵盤シャーシと第１と第２のハンマーアームを有する鍵盤装置であり、第１と第２の当接部があり、第２のハンマーアームが錘を備えているという基本的な点で共通している。しかしながら、請求項６に係る発明は、「第１のハンマーアームにその回動中心よりも鍵の前側に位置して鍵盤シャーシの上方に向けて延設され、鍵の下面が直接当接する第１の当接部と、前記第１のハンマーアームの回動中心よりも前記鍵の後側における前記鍵盤シャーシの下側に位置した状態で前記第１のハンマーアームに設けられ、前記第１の当接部が前記鍵の下面に当接する方向に向けて前記第１のハンマーアームを回動変位させる方向に付勢する第１の錘と、前記第１および第２のハンマーアームのいずれか一方に前記第１のハンマーアームの回動中心よりも前記鍵の後側に位置して設けられ、そのいずれか他方に当接する第２の当接部と、前記第２のハンマーアームに設けられ、前記第２の当接部を介して前記第１の錘を押し下げる第２の錘と」を備え、「鍵が押鍵されないときに、第２のハンマーアームの第２の錘が第２の当接部を介して第１のハンマーアームの第１の錘を押し下げ、この第２の錘と共に、第１の錘が第１の当接部を鍵の下面に当接させる方向に向けて第１のハンマーアームを回動変位させる方向に付勢し、また、鍵の押鍵操作時に、鍵の下面が第１のハンマーアームの第１の当接部を押圧操作して該第１のハンマーアームを回動変位させ、これに応答して該第１のハンマーアームが第２の当接部を介して第２のハンマーアームを押圧操作して回動変位させ、これに応答して該第２のハンマーアームが楽音特性指示手段を押圧操作する」という具体的な構成（以下、「構成Ｃ」という）を、必須の構成要件とするのに対して、刊行物２には、上記構成Ｃが記載されていない。
　そして、刊行物１、３〜５のいずれにも、構成Ｃは記載されていない。
　上記構成Ｃにより、請求項６に係る発明の鍵盤装置は、明細書に記載の効果を奏するものである。
　よって、請求項６に係る発明が刊行物１〜５に記載された発明であるとも、刊行物１〜５記載のものから容易に発明をすることができたものともいえない。
［２−３−２］第３６条
　本件発明に対して、当審が通知した取消理由で示した第３６条第４項及び第５項に規定する要件について、以下検討する。
　【請求項１】について
　請求項１に係る発明は、「付勢部材」を「ばね部材」に限定し、「前記鍵盤シャーシと前記第１のハンマーアームとの間に設けられ、該第１のハンマーアームの一部を前記鍵に当接させる方向に付勢するばね部材」と訂正されたことにより、ばね部材が第１のハンマーアームを鍵に当接させる方向に付勢している構成により、明細書に記載の上記効果Ｐを奏するものである。請求の範囲に、第１のハンマーアームと鍵盤シャーシとの配置関係の限定が特になくとも、上記ばね部材が付勢する方向及びその機能が明確となったので、請求項１に係る発明は、第３６条第４項及び第５項に規定する要件を満たしている。
　【請求項３】について
　請求項３に係る発明は、請求項１と同様の理由で、第３６条第４項及び第５項に規定する要件を満たしている。
　【請求項５】について
　請求項５に係る発明は、鍵盤装置を形成する第１と第２のハンマーアームと、長孔と連結ピンを有する連結アーム部を含む各構成要素と、それらの配置関係を限定するとともに、鍵操作時の、第１，第２のハンマーアーム、長孔と連結ピンを有する連結アーム部の伝達経路を記載することにより、発明の構成は明確となったので、請求項５に係る発明は、第３６条第４項及び第５項に規定する要件を満たしている。
　【請求項６】について
　請求項６に係る発明は、鍵盤装置を形成する、第１と第２のハンマーアーム、第１と第２の当接部および第１と第２の錘を含む各構成要素と、それらの配置関係を限定するとともに、鍵が押鍵されない時及び押鍵操作時の、第１と第２のハンマーアーム、第１と第２の当接部および第１と第２の錘の伝達経路を記載することにより、発明の構成は明確となったので、請求項６に係る発明は、第３６条第４項及び第５項に規定する要件を満たしている。
［２−３−３］
　したがって、請求項１〜７に係る発明は特許出願の際独立して特許を受けることができない発明とすることはできない。
［２−４］　以上のとおりであるから、上記訂正請求は、特許法第１２０条の４第２項及び第３項で準用する特許法第１２６条第２項ないし第４項、及び特許法等の一部を改正する法律（平成６年法律第１１６号）附則第６条第１項の規定に適合するので、当該訂正を認める。
［３］特許異議の申立についての判断
［３−１］申立の理由の概要
　申立人矢野寛は、特許明細書の請求項１〜３、５〜１４、１６〜２４、２６に係る発明の特許に対して、甲第１〜５号証（上記刊行物１〜５）を提出し、特許明細書の請求項１〜２、５〜１３、１６〜２４、２６に係る発明についての特許は、特許法第２９条第２項の規定に違反してなされたものであり、また、特許明細書の請求項３、１４、２４の記載が不明瞭であり特許法第３６条の規定に違反してなされたものであるので、特許を取り消すべきものと主張している。
［３−２］判断
　特許明細書の請求項１〜２、５〜１３、１６〜２４、２６に係る発明は、訂正により、請求項が一部削除され、請求項１、１２、２３〜２４についてはこれを限定して、訂正明細書の請求項の対応する項１、３、５〜６に係る発明のとおりとなったので、上記［２−３−１］で判断したように、甲第１〜５号証に記載された発明に基づいて容易に発明をすることができたものではない。
　また、特許明細書の請求項３、１４、２４については、訂正により実質的に請求項１、３、６となり、［２−３−２］で判断したように、その記載が明瞭となったので、本件発明は、第３６条第４項及び第５項に規定する要件を満たしている。
［４］むすび
　以上のとおりであるから、特許異議申立の理由及び証拠によっては、異議申立された特許明細書の請求項１、１２、２３〜２４に係る発明の特許を取り消すことはできない。
　また、他に特許明細書の請求項１、１２、２３〜２４に係る発明の特許を取り消すべき理由を発見しない。
　よって、結論のとおり決定する。
【異議決定日】
平成１１年１１月２６日（１９９９．１１．２６）
【訂正の要旨】
　訂正の要旨
　特許請求の範囲の請求項１〜２６を、特許請求の範囲の減縮と不明瞭な記載の釈明を目的として、
「【請求項１】鍵盤シャーシ上に上下方向に回動可能に設けられた鍵と、前記鍵の下側に上下方向に回動可能に配置され、前記鍵の押鍵操作に伴って回動変位する第１のハンマーアームと、外部からの押圧操作に応答して、発生すべき楽音の発音開始を指示するための発音指示手段と、前記鍵の下側に上下方向に回動可能に配置され、前記第１のハンマーアームの回動変位に連動して回動変位し、前記発音指示手段を押圧する第２のハンマーアームと、前記鍵盤シャーシと前記第１のハンマーアームとの間に設けられ、該第１のハンマーアームの一部を前記鍵に当接させる方向に付勢するばね部材と、を備えたことを特徴とする電子鍵盤楽器の鍵盤装置。
　【請求項２】鍵盤シャーシ上に上下方向に回動可能に設けられた鍵と、前記鍵の押鍵操作に伴って回動変位する第１のハンマーアームと、外部からの押圧操作に応答して、発生すべき楽音の発音開始を指示するための発音指示手段と、前記第１のハンマーアームの回動変位に連動して回動変位し、前記発音指示手段を押圧する第２のハンマーアームと、前記第１のハンマーアームの左右の横ぶれを阻止するために前記鍵盤シャーシ上に設けられたガイド部材と、を備えたことを特徴とする電子鍵盤楽器の鍵盤装置。
　【請求項３】鍵盤シャーシ上に上下方向に回動可能に設けられた鍵と、前記鍵の下側に上下方向に回動可能に配置され、前記鍵の押鍵操作に伴って回動変位する第１のハンマーアームと、外部からの押圧操作に応答して、発生すべき楽音の楽音パラメータを指示するためのパラメータ指示手段と、前記鍵の下側に上下方向に回動可能に配置され、前記第１のハンマーアームの回動変位に連動して回動変位し、前記パラメータ指示手段を押圧する第２のハンマーアームと、前記鍵盤シャーシと前記第１のハンマーアームとの間に設けられ、該第１のハンマーアームの一部を前記鍵に当接させる方向に付勢するばね部材と、を備えたことを特徴とする電子鍵盤楽器の鍵盤装置。
　【請求項４】鍵盤シャーシ上に上下方向に回動可能に設けられた鍵と、前記鍵の押鍵操作に伴って回動変位する第１のハンマーアームと、外部からの押圧操作に応答して、発生すべき楽音の楽音パラメータを指示するためのパラメータ指示手段と、前記第１のハンマーアームの回動変位に連動して回動変位し、前記パラメータ指示手段を押圧する第２のハンマーアームと、前記第１のハンマーアームの左右の横ぶれを阻止するために前記鍵盤シャーシ上に設けられたガイド部材と、を備えたことを特徴とする電子鍵盤楽器の鍵盤装置。
　【請求項５】鍵盤シャーシ上に上下方向に回動可能に設けられた鍵と、前記鍵盤シャーシに対し、互いに所定の間隔をおいて回動可能に設けられた第１および第２のハンマーアームと、前記鍵の下面に設けられ、前記第１のハンマーアームの回動中心よりも前記鍵の前側に位置する箇所の前記第１のハンマーアームを押圧する押圧突起と、前記第１のハンマーアームにその回動中心よりも前記鍵の後側に位置して設けられた長孔と、前記第２のハンマーアームに設けられ、前記第１のハンマーアームの前記長孔内をスライドする連結ピンを有する連結アーム部と、この連結アーム部によって回動変位する前記第２のハンマーアームにより押圧操作され、これに応答して発生すべき楽音の特性を指示する楽音特性指示手段とを備えており、前記鍵の押鍵操作時に、前記鍵の下面に設けられた前記押圧突起が前記第１のハンマーアームを押圧操作して回動変位させ、これに応答して該第１のハンマーアームが前記長孔内をスライドする前記連結ピンを介して前記連結アーム部を押圧操作し、該連結アーム部が前記第２のハンマーアームを押圧操作して回動変位させ、これに応答して該第２のハンマーアームが前記楽音特性指示手段を押圧操作することを特徴とする電子鍵盤楽器の鍵盤装置。
　【請求項６】鍵盤シャーシ上に上下方向に回動可能に設けられた鍵と、前記鍵盤シャーシに対し、互いに所定の間隔をおいて回動可能に設けられた第１および第２のハンマーアームと、前記第１のハンマーアームにその回動中心よりも前記鍵の前側に位置して前記鍵盤シャーシの上方に向けて延設され、前記鍵の下面が直接当接する第１の当接部と、前記第１のハンマーアームの回動中心よりも前記鍵の後側における前記鍵盤シャーシの下側に位置した状態で前記第１のハンマーアームに設けられ、前記第１の当接部が前記鍵の下面に当接する方向に向けて前記第１のハンマーアームを回動変位させる方向に付勢する第１の錘と、前記第１および第２のハンマーアームのいずれか一方に前記第１のハンマーアームの回動中心よりも前記鍵の後側に位置して設けられ、そのいずれか他方に当接する第２の当接部と、前記第２のハンマーアームに設けられ、前記第２の当接部を介して前記第１の錘を押し下げる第２の錘と、前記第１のハンマーアームによって回動変位する前記第２のハンマーアームにより押圧操作され、これに応答して発生すべき楽音の特性を指示する楽音特性指示手段とを備えており、前記鍵が押鍵されないときに、前記第２のハンマーアームの前記第２の錘が前記第２の当接部を介して前記第１のハンマーアームの前記第１の錘を押し下げ、この第２の錘と共に、前記第１の錘が前記第１の当接部を前記鍵の下面に当接させる方向に向けて前記第１のハンマーアームを回動変位させる方向に付勢し、また、前記鍵の押鍵操作時に、前記鍵の下面が前記第１のハンマーアームの前記第１の当接部を押圧操作して該第１のハンマーアームを回動変位させ、これに応答して該第１のハンマーアームが前記第２の当接部を介して前記第２のハンマーアームを押圧操作して回動変位させ、これに応答して該第２のハンマーアームが前記楽音特性指示手段を押圧操作することを特徴とする電子鍵盤楽器の鍵盤装置。
　【請求項７】鍵盤シャーシ上に設けられ、押鍵操作に応答して上下方向に回動する鍵と、前記鍵の上下方向の回動に連動して回動する第１のハンマーアームと、前記第１のハンマーアームの回動に伴い、該第１のハンマーアームに連動して回動する第２のハンマーアームと、前記鍵盤シャーシに設けられ、前記第１のハンマーアームの回動によって前記第２のハンマーアームが回動する際に、該第１のハンマーアームの回動を規制するアーム規制手段と、前記第２のハンマーアームの回動によって押圧操作され、この押圧操作に応じて発生すべき楽音の特性を指示する楽音特性指示手段と、を備えていることを特徴とする電子鍵盤楽器の鍵盤装置。」
と訂正する。
（５４）【発明の名称】
電子鍵盤楽器の鍵盤装置
（５７）【特許請求の範囲】
（１）鍵盤シャーシ上に上下方向に回動可能に設けられた鍵と、
　
前記鍵の下側に上下方向に回動可能に配置され、前記鍵の押鍵操作に伴って回動変位する第１のハンマーアームと、
　
外部からの押圧操作に応答して、発生すべき楽音の発音開始を指示するための発音指示手段と、
　
前記鍵の下側に上下方向に回動可能に配置され、前記第１のハンマーアームの回動変位に連動して回動変位し、前記発音指示手段を押圧する第２のハンマーアームと、
　
前記鍵盤シャーシと前記第１のハンマーアームとの間に設けられ、該第１のハンマーアームの一部を前記鍵に当接させる方向に付勢するばね部材と，
　
を備えたことを特徴とする電子鍵盤楽器の鍵盤装置。
（２）鍵盤シャーシ上に上下方向に回動可能に設けられた鍵と、
　
前記鍵の押鍵操作に伴って回動変位する第１のハンマーアームと、
　
外部からの押圧操作に応答して、発生すべき楽音の発音開始を指示するための発音指示手段と、
　
前記第１のハンマーアームの回動変位に連動して回動変位し、前記発音指示手段を押圧する第２のハンマーアームと、
　
前記第１のハンマーアームの左右の横ぶれを阻止するために前記鍵盤シャーシ上に設けられたガイド部材と、
　
を備えたことを特徴とする電子鍵盤楽器の鍵盤装置。
（３）鍵盤シャーシ上に上下方向に回動可能に設けられた鍵と、
　
前記鍵の下側に上下方向に回動可能に配置され、前記鍵の押鍵操作に伴って回動変位する第１のハンマーアームと、
　
外部からの押圧操作に応答して、発生すべき楽音の楽音パラメータを指示するためのパラメータ指示手段と、
　
前記鍵の下側に上下方向に回動可能に配置され、前記第１のハンマーアームの回動変位に連動して回動変位し、前記パラメータ指示手段を押圧する第２のハンマーアームと、
　
前記鍵盤シャーシと前記第１のハンマーアームとの間に設けられ、該第１のハンマーアームの一部を前記鍵に当接させる方向に付勢するばね部材と、
　
を備えたことを特徴とする電子鍵盤楽器の鍵盤装置。
（４）鍵盤シャーシ上に上下方向に回動可能に設けられた鍵と、
　
前記鍵の押鍵操作に伴って回動変位する第１のハンマーアームと、
　
外部からの押圧操作に応答して、発生すべき楽音の楽音パラメータを指示するためのパラメータ指示手段と、
　
前記第１のハンマーアームの回動変位に連動して回動変位し、前記パラメータ指示手段を押圧する第２のハンマーアームと、
　
前記第１のハンマーアームの左右の横ぶれを阻止するために前記鍵盤シャーシ上に設けられたガイド部材と、
　
を備えたことを特徴とする電子鍵盤楽器の鍵盤装置。
（５）鍵盤シャーシ上に上下方向に回動可能に設けられた鍵と、
　
前記鍵盤シャーシに対し、互いに所定の間隔をおいて回動可能に設けられた第１および第２のハンマーアームと、
　
前記鍵の下面に設けられ、前記第１のハンマーアームの回動中心よりも前記鍵の前側に位置する箇所の前記第１のハンマーアームを押圧する押圧突起と、
　
前記第１のハンマーアームにその回動中心よりも前記鍵の後側に位置して設けられた長孔と、
　
前記第２のハンマーアームに設けられ、前記第１のハンマーアームの前記長孔内をスライドする連結ピンを有する連結アーム部と、
　
この連結アーム部によって回動変位する前記第２のハンマーアームにより押圧操作され、これに応答して発生すべき楽音の特性を指示する楽音特性指示手段とを備えており、
　
前記鍵の押鍵操作時に、前記鍵の下面に設けられた前記押圧突起が前記第１のハンマーアームを押圧操作して回動変位させ、これに応答して該第１のハンマーアームが前記長孔内をスライドする前記連結ピンを介して前記連結アーム部を押圧操作し、該連結アーム部が前記第２のハンマーアームを押圧操作して回動変位させ、これに応答して該第２のハンマーアームが前記楽音特性指示手段を押圧操作することを特徴とする電子鍵盤楽器の鍵盤装置。
（６）鍵盤シャーシ上に上下方向に回動可能に設けられた鍵と、
　
前記鍵盤シャーシに対し、互いに所定の間隔をおいて回動可能に設けられた第１および第２のハンマーアームと、
　
前記第１のハンマーアームにその回動中心よりも前記鍵の前側に位置して前記鍵盤シャーシの上方に向けて延設され、前記鍵の下面が直接当接する第１の当接部と、
　
前記第１のハンマーアームの回動中心よりも前記鍵の後側における前記鍵盤シャーシの下側に位置した状態で前記第１のハンマーアームに設けられ、前記第１の当接部が前記鍵の下面に当接する方向に向けて前記第１のハンマーアームを回動変位させる方向に付勢する第１の錘と、
　
前記第１および第２のハンマーアームのいずれか一方に前記第１のハンマーアームの回動中心よりも前記鍵の後側に位置して設けられ、そのいずれか他方に当接する第２の当接部と、
　
前記第２のハンマーアームに設けられ、前記第２の当接部を介して前記第１の錘を押し下げる第２の錘と、
　
前記第１のハンマーアームによって回動変位する前記第２のハンマーアームにより押圧操作され、これに応答して発生すべき楽音の特性を指示する楽音特性指示手段とを備えており、
　
前記鍵が押鍵されないときに、前記第２のハンマーアームの前記第２の錘が前記第２の当接部を介して前記第１のハンマーアームの前記第１の錘を押し下げ、この第２の錘と共に、前記第１の錘が前記第１の当接部を前記鍵の下面に当接させる方向に向けて前記第１のハンマーアームを回動変位させる方向に付勢し、
　
また、前記鍵の押鍵操作時に、前記鍵の下面が前記第１のハンマーアームの前記第１の当接部を押圧操作して該第１のハンマーアームを回動変位させ、これに応答して該第１のハンマーアームが前記第２の当接部を介して前記第２のハンマーアームを押圧操作して回動変位させ、これに応答して該第２のハンマーアームが前記楽音特性指示手段を押圧操作することを特徴とする電子鍵盤楽器の鍵盤装置。
（７）鍵盤シャーシ上に設けられ、押鍵操作に応答して上下方向に回動する鍵と、
　
前記鍵の上下方向の回動に連動して回動する第１のハンマーアームと、
　
前記第１のハンマーアームの回動に伴い、該第１のハンマーアームに連動して回動する第２のハンマーアームと、
　
前記鍵盤シャーシに設けられ、前記第１のハンマーアームの回動によって前記第２のハンマーアームが回動する際に、該第１のハンマーアームの回動を規制するアーム規制手段と、
　
前記第２のハンマーアームの回動によって押圧操作され、この押圧操作に応じて発生すべき楽音の特性を指示する楽音特性指示手段と、
　
を備えていることを特徴とする電子鍵盤楽器の鍵盤装置。
【発明の詳細な説明】
［発明の技術分野］
　この発明は電子ピアノ等の電子鍵盤楽器の鍵盤装置に関する。
［従来技術とその問題点］
　電子ピアノ等の電子鍵盤楽器では、鍵によるスイッチ操作で楽音を発生させるようになっているにすぎないので、そのままでは、鍵タッチ感がアコースティックピアノのそれと大きく異なってしまうことになる。
　すなわち、アコースティックピアノでは、鍵が押鍵されると、その押鍵力がウィペン、ジャックを介してハンマーに伝達され、ハンマーが回動して弦を打弦することにより、楽音を発生させるようになっているので、押鍵の初期段階ではウィペン等による反力を受けることにより指に受ける荷重が急激に重くなり、押鍵の中期段階ではハンマーがフリーとなることにより指に受ける荷重が急激に軽くなるといった、鍵タッチ感が得られるようになっている。
　そこで、従来の電子鍵盤楽器には、例えば特開昭５０−１５３９１４号公報（対応する米国特許第３，９０３，７８０号明細書）、実開昭６１−１２４０９８号公報、実開昭６１−２０６９７８号公報（対応する米国特許第４，７２３，４７１号明細書）に記載されているように、鍵の押鍵動作に伴って鍵に所定の荷重を付与し、これによりアコースティックピアノに近似した鍵タッチ感を得ることができるようにしたものである。
　ところで、アコースティックピアノでは鍵自体ではなくハンマーで弦を打弦して楽音を発生させているのに対し、以上のような従来の電子鍵盤楽器では鍵自体によるスイッチ操作で楽音を発生させているので、アコースティックピアノでは可能な早弾きや弱い鍵操作等の演奏を行った場合、それに対応して、スイッチ操作を確実に実行させることができないことがあった。
　すなわち、最近の電子鍵盤楽器では、各鍵ごとに、スイッチが設けられており、鍵が押鍵操作されると、その押鍵操作に伴う押圧操作によりスイッチが押圧され、その押圧に対応してスイッチがオンとなって、楽音の発音開始が指示されるようになっている。
　しかしながら、例えば、早弾きや弱い押鍵操作の場合は、鍵が十分に深く押鍵操作されないため、前記スイッチが鍵により押圧されないことがある。
　この結果、前記スイッチがオン動作をせず、楽音を発音開始させることができないという問題があった。
　また、各鍵ごとに、第１のスイッチと第２のスイッチとの２つのスイッチを並設したタイプの電子鍵盤楽器の場合にも、前述の電子鍵盤楽器の場合と同様の問題点があった。
　すなわち、この種のタイプの電子鍵盤楽器では、各鍵ごとに、第１のスイッチと第２のスイッチとの２つのスイッチが設けられ、鍵が押鍵されると、例えば第３図に示すように、第１のスイッチと第２のスイッチとが時間差ｔをもって順次スイッチオンとなり、そして第２のスイッチがスイッチオンとなったときに、それに対応して、音源手段に対して、楽音の発音開始を指示するためのデータを出力するとともに、前述の時間差ｔに対応する押鍵速度に関するタッチレスポンスデータ、つまり、押鍵操作開始時における楽音の音量や音色等の楽音パラメータを指示するためのデータ（以下、「タッチレスポンスデータ」という）を出力するようになっている。
　したがって、鍵自体によるスイッチ操作で楽音を発生させるタイプの電子鍵盤楽器では、鍵がある程度押鍵されると第１のスイッチがスイッチオンとなり、鍵が更にある程度押鍵されると第２のスイッチがスイッチオンとなることになるので、例えば早弾きのときにように鍵が十分に押鍵されない場合には、第１のスイッチのみがスイッチオンとなって第２のスイッチがスイッチオンとならないことがあり、この結果押鍵したにもかかわらず、楽音が発生されないことがあるという問題があった。
　一方、例えば特開昭６３−１２８３９７号公報、実公昭６３−３３２３９号公報、米国特許第３，６３４，５９３号明細書には、鍵にアクション荷重を付与するためのハンマーアームを鍵盤シャーシの下方に回動自在に設け、鍵の押鍵に伴って回動変位するハンマーアームにより、鍵盤シャーシに設けられたタッチレスポンスデータ検出用のスイッチを押圧するようにした電子鍵盤楽器が記載されている。
　このような電子鍵盤楽器では、アコースティックピアノに近似した鍵タッチ感を得ることができる上、押鍵が不十分であっても、ハンマーアームの慣性回動により、タッチレスポンスデータ検出用のスイッチを確実にスイッチオンとすることができ、したがって押鍵したら楽音を必ず発生させることができ、アコースティックピアノの場合と同様の早弾き等の演奏を行うことが可能となる。
　しかしながら、従来のこのような電子鍵盤楽器では、特に鍵が強く弾かれたとき、ハンマーアームが鍵の押鍵変位に追従せずに先行して回動変位してしまい、このため、押鍵操作のある時点でハンマーアームによるアクション荷重が鍵に一瞬のうちに付与されなくなり、したがって演奏者に対して鍵が急に軽くなったという違和感を与えてしまうことがあるという問題があった。
［発明の目的］
　この発明は上述の如き事情に鑑みてなされたもので、その目的とするところは、鍵を強く弾いても、ハンマーアームによるアクション荷重が押鍵操作の途中から鍵に一瞬のうちに付与されなくならないようにすることのできる電子鍵盤楽器の鍵盤装置を提供することにある。
［発明の要点］
　この発明は上述の如き目的を達成するために、ハンマーアームを少なくとも２つに分割し、鍵の押鍵に伴って前段側の第１のハンマーアームが回動したときに、これに連動して後段側の第２のハンマーアームが回動変位して押圧型のスイツチ等からなる発音指示手段もしくはパラメータ指示手段を押圧するようにしたことを要点とする。
［実施例］
　以下、実施例につきこの発明を詳細に説明する。
（第１実施例）
　第１図のこの発明の第１実施例における電子鍵盤楽器の鍵盤装置の要部を示したものである。
　この鍵盤装置では、板金製の鍵製シャーシ１の上面側に合成樹脂製の複数の鍵（白鍵のみ図示し、黒鍵は図示せず）２が並列して配置されている。
　鍵２の後端は、鍵盤シャーシ１の上面後端に設けられた合成樹脂製の鍵支持部材３に軸４を介して上下方向に回動自在に取り付けられている。
　鍵２の後部下面と鍵支持部材３との間には圧縮コイルばね５が設けられている。
　鍵２は、この圧縮コイルばね５のばね力によって上方に付勢されているが、通常は、その側板６の前部下端に垂設されたほぼＬ字状のストッパ７が鍵盤シャーシ１に形成されたバカ孔８を通って鍵盤シャーシ１の下面に設けられたフェルト等からなる帯状の緩衝部材９に当接することにより、所定の初期位置（上限位置）に位置決めされている。
　ストッパ７の下方における鍵盤シャーシ１の上面には、鍵２の下限位置を規制するためのフェルト等からなる帯状の緩衝部材１０が設けられている。
　また、鍵盤シャーシ１の前端には、鍵２の左右の横ぶれを阻止するためのガイド部材１１が設けられている。
　更に、鍵２の下面後部には横断面ほぼＨ字状のハンマー押圧突起１２が垂設されている。
　一方、鍵２にアクション荷重を付与するためのハンマーアーム２０は第１のハンマーアーム２１と第２のハンマーアーム２２との２つに分割されている。
　このうち第１のハンマーアーム２１は、ほぼＬ字状の合成樹脂製の本体２３の一端上面によって被押圧面２４が形成され、本体２３の他端上面先端によって押上部２５が形成され、本体２３の他端下面によってストッパ面２６が形成され、本体２３の他端部に重り２７が設けられた構造となっている。
　第１のハンマーアーム２１は、本体２３を鍵盤シャーシ１の下方において鍵２の長手方向に延びるように位置させられ、かつ被押圧面２４を鍵盤シャーシ１に形成されたバカ孔１３を通ってハンマー押圧突起１２の下方に位置させられた状態で、本体２３の所定の箇所を軸２８を介して楽器本体２９に上下方向に回動自在に取り付けられている。
　第１のハンマーアーム２１は、重り２７の作用により第１図において反時計方向に付勢されているのが、通常は、ストッパ面２６が楽器本体２９の上面に設けられたフェルト等からなる帯状の緩衝部材３０に当接することにより、所定の初期位置に位置決めされている。
　また、この通常の状態では、第１のハンマーアーム２１の被押圧面２４は、ハンマー押圧突起１２の下端面と軽く接触しているか、もしくは若干離間する位置にある。
　第２のハンマーアーム２２は、所定形成の合成樹脂製の本体３１の一方の上面によってスイッチ押圧面３２が形成され、このスイッチ押圧面３２に連続する下面によって被押上面３３が形成され、本体３１の下端面によってストッパ面３４が形成され、本体３１の所定の箇所に重り３５が設けられた構造となっている。
　第２のハンマーアーム２２は、被押上面３３を第１のハンマーアーム２１の押上部２５の上方に位置させられ、かつストッパ面３４を緩衝部材３０の上方に位置させられた状態で、本体３１の所定の箇所を軸３６を介して楽器本体２９に上下方向に回動自在に取り付けられている。
　第２のハンマーアーム２２は、重り３５の作用により第１図において時計方向に付勢されているが、通常は、ストッパ面３４が緩衝部材３０に当接することにより、所定の初期位置に位置決めされている。
　また、この通常の状態では、第２のハンマーアーム２２の被押上面３３は、第１のハンマーアーム２１の押上部２５と軽く接触しているか、もしくは若干離間する位置にある。
　第２のハンマーアーム２２のスイッチ押圧面３２の上方には押圧型の第１および第２のスイッチ４１、４２が鍵２の長手方向に離間してそれぞれ配置されている。
　第１および第２のスイッチ４１、４２は、鍵盤シャーシ１の上面にねじ４３によって取り付けられた回路基板４４の下面に設けられ、鍵盤シャーシ１に形成されたバカ孔４５、４６を通って鍵盤シャーシ１の下方に突出されている。
　第１および第２のスイッチ４１、４２は、第２図に示すように構成されている。
　まず、第１のスイッチ４１について説明すると、この第１のスイッチ４１の本体５１は、ゴム等の弾性材料によって形成され、回路基板４４の下面に配置されるシート状の配置部５２と、この配置部５２に形成された円孔５３の周壁部から下方に向かって突出されたドーム状の外壁部５４と、この外壁部５４の頂部から上方に向かって突出された有頭円筒状の接点部５５と、外壁部５４の頂部から下方に向かって突出された円筒状の被押圧部５６とを備えた構造となっている。
　接点部５５の上面には導電塗料等からなる可動接点５７が設けられている。
　この可動接点５７の上方における回路基板４４の下面にはくし歯状の電極からなる一対の固定接点５８、５９が設けられている。
　第２のスイッチ４２は、基本的には第１のスイッチ４１と同じ構造であるので、第２図において同一名称部分には同一の番号に符号ａを添付して示し、その詳細な説明を省略する。
　この第２のスイッチ４２で第１のスイッチ４１と異なるところは、第２のスイッチ４２の可動接点５７ａの間隔Ｈ２が第１のスイッチ４１の可動接点５７の間隔Ｈ１よりも大きくなっている点のみである。
　これにより、後でも説明するように、第１のスイッチ４１がスイッチオンとなった後に、所定の時間（ｔ）の経過をおいて、第２のスイッチ４２がスイッチオンとなるようになっている。
　なお、シート状の配置部５２、５２ａは、他の鍵のスイッチの配置部と共通であり、鍵盤シャーシ１の上面と回路基板４４の下面との間に介在されて挟持されていることにより、すべての鍵のスイッチの固定を行うようになっている。
　この鍵盤装置で鍵２が圧縮コイルばね５のばね力に抗して押鍵されると、鍵２は軸４を中心にして第１図において反時計方向に回動変位する。
　すると、鍵２と一体的に回動変位するハンマー押圧突起１２の下端面が第１のハンマーアーム２１の被押圧面２４を押圧し、第１のハンマーアーム２１が軸２８を中心にして第１図において時計方向に回動変位する。
　また、この回動変位する第１のハンマーアーム２１の押上部２５が第２のハンマーアーム２２の被押上面３３を押し上げ、第２のハンマーアーム２２が軸３６を中心にして第１図において反時計方向に回動変位する。
　このとき、重り２７の作用によって第１図において反時計方向に回動変位しようとする第１のハンマーアーム２１の抵抗力が被押圧面２４を介してハンマー押圧突起１２の下端面にアクション荷重として作用し、また重り３５の作用によって第１図において時計方向に回動変位しようとする第２のハンマーアーム２２の抵抗力が第１のハンマーアーム２１を介してハンマー押圧突起１２の下端面にアクション荷重として作用し、鍵２に大きなアクション荷重が付与されることになる。
　したがって、演奏者に対して鍵２が重いという感じを与えることになり、アコースティックピアノの鍵タッチ感に近似した鍵タッチ感が得られることになる。
　第１のハンマーアーム２１の押上部２５によって被押上面３３を押し上げられた第２のハンマーアーム２２が軸３６を中心にして第１図において反時計方向に回動変位すると、同図において一点鎖線で示すように、第２のハンマーアーム２２のスイッチ押圧面３２が第１および第２のスイッチ４１、４２を共に押圧する。
　スイッチ押圧面３２が第１のスイッチ４１の被押圧部５６の下端面を押圧すると、この第１のスイッチ４１の外壁部５４が弾性変形し、可動接点５７が一対の固定接点５８、５９に共に接触し、この一対の固定接点５８、５９間が電気的に接続され、これにより第１のスイッチ４１がスイッチオンとなる。
　また、スイッチ押圧面３２による押圧作用により、第１のスイッチ４１の場合と同様にして、第２のスイッチ４２がスイッチオンとなる。
　かくして、例えば第３図に示すように、第１と第２のスイッチ４１、４２が時間差ｔをもって順次スイッチオンとなり、第２のスイッチ４２のスイッチオンにより音源手段に対して楽音の発音開始を指示するためのデータが得られ、時間差ｔにより押鍵速度に関するタッチレスポンスデータ、つまり楽音の音量や音色等の楽音パラメータを指示するためのデータが得られることになる。
　この鍵盤装置で押鍵された鍵２に対する押鍵操作が解除された場合には、鍵２は圧縮コイルばね５のばね力によって第１図に示す元の初期位置に戻され、これより若干遅れて第１のハンマーアーム２１が重り２７の作用によって同図において実線で示す元の初期位置に戻され、更にこれより若干遅れて第２のハンマーアーム２２が重り３５の作用によって同図において実線で示す元の初期位置に戻される。
　ところで、この鍵盤装置で鍵２を弱く弾いた場合には、第１のハンマーアーム２１の被押圧面２４がハンマー押圧突起１２の下端面に追従し、また第２のハンマーアーム２２の弾押上面３３が第１のハンマーアーム２１の押上部２５に追従し、このため第４Ａ図に示すように、鍵２の回動変位に伴って、まず圧縮コイルばね５のばね力と第１のハンマーアーム２１の抵抗力との和からなる荷重が鍵２に作用し、次いである時点Ｐから第２のハンマーアーム２２の抵抗力を更に加えた荷重が鍵２に作用することとなる。
　一方、鍵２を強く弾いた場合には、押鍵の当初では、重り３５の作用により第１図において時計方向に回動変位しようとする第２のハンマーアーム２２の抵抗力が被押上面３３を介して第１のハンマーアーム２１の押上部２５に作用することにより、第１のハンマーアームの被押押圧面２４がハンマー押圧突起１２の下端面に追従せずに先行して離れようとするものを阻止し、そして鍵２がある程度回動変位した時点で、第２のハンマーアーム２２の被押上面３３が第１のハンマーアーム２１の押上部２５に追従せずに先行して離間し、鍵２が更にある程度回動変位した時点で、第１のハンマーアーム２１の被押圧面２４がハンマー押圧突起１２の下端面に追従せずに先行して離間することになる。
　このため、押鍵の当初では、第４Ｂ図において符号Ｑで示すように、圧縮コイルばね５のばね力と第１のハンマーアーム２１の抵抗力と第２のハンマーアーム２２の抵抗力との和からなる大きな荷重が鍵２に作用し、次いで鍵２がある程度回動変位した時点Ｒで、第２のハンマーアーム２２の抵抗力からなる荷重が鍵２に作用しなくなり、次いで鍵２が更にある程度回動変位した時点Ｓで、第１のハンマーアーム２１の抵抗力からなる荷重も鍵２に作用しなくなることになる。
　このように、この鍵盤装置では、鍵２を強く弾いたとき、ある時点Ｒで第２のハンマーアーム２２の抵抗力からなる荷重が鍵２に付与されなくなるが、その時点Ｒでは第１のハンマーアーム２１の抵抗力からなる荷重が鍵２に付与されているので、ハンマーアームの抵抗力からなるアクション荷重が一瞬のうちに消失することがなく、したがって演奏者に対して鍵２が急に軽くなるという違和感を与えることがない。
　また、この鍵盤装置では、鍵２のハンマー押圧突起１２の回動変位量を第１のハンマーアーム２１で増幅し、更に第２のハンマーアーム２２で増幅することができるので、第１および第２のスイッチ４１、４２を押圧するための第２のハンマーアーム２２のスイッチ押圧面３２の動きを小さなスペースで大きくすることができる。
（第２実施例）
　第５図はこの発明の第２実施例における電子鍵盤楽器の鍵盤装置の要部を示したものである。
　この図において、第１図と同一名称部分には同一の符号を示し、その説明を適宜省略する。
　上記第１実施例では、鍵２の下面後部に垂設したハンマー押圧突起１２によって第１のハンマーアーム２１の被押圧面２４を押圧するようにしているが、この第２実施例では、鍵２の下面前部に垂設したハンマー押圧突起１２によって第１のハンマーアーム２１の被押圧面２４を押圧するようにしている。
　このため、この第２実施例の鍵盤装置では、鍵２の下面前部にハンマー押圧突起１２が垂設され、鍵盤シャーシ１の後部下面に第１および第２のスイッチ４１、４２が配置されている。
　一方、第１のハンマーアーム２１は、本体２３を鍵盤シャーシ１の下方において鍵２の長手方向に延びるように位置させられ、かつ被押圧面２４を鍵盤シャーシ１に形成されたバカ孔１３を通ってハンマー押圧突起１２の下方に位置させられ、更にストッパ面２６を楽器本体２９の上面に設けられた緩衝部材３０の上方に位置させられた状態で、本体２３の中央部を軸２８を介して楽器本体２９に上下方向に回動自在に取り付けられている。
　第２のハンマーアーム２２は、スイッチ押圧面３２を第１および第２のスイッチ４１、４２の下方に位置させられ、かつ被押上面３３を第１のハンマーアーム２１の押上部２５の上方に位置させられ、更にストッパ面３４を緩衝部材３０の上方に位置させられた状態で、本体３１の所定の箇所を軸３６を介して楽器本体２９に上下方向に回動自在に取り付けられている。
　この第２実施例の鍵盤装置の動作は、上記第１実施例における説明から容易に理解しうるので、その説明を省略する。
　この第２実施例の鍵盤装置でも、上記第１実施例の場合と同様に、鍵２を強く弾いたとき、ある時点で第２のハンマーアーム２２の抵抗力からなる荷重が鍵２に付与されなくなるが、その時点では第１のハンマーアーム２１の抵抗力からなる荷重が鍵２に付与されているので、ハンマーアームの抵抗力からなるアクション荷重が一瞬のうちに消失することがなく、したがって演奏者に対して鍵２が急激に軽くなるという違和感を与えることがない。
　また、この第２実施例の鍵盤装置では、鍵２の下面前部にハンマー押圧突起１２を設けているので、上記第１実施例のように鍵２の下面後部に設けた場合に比べて、鍵２の回動変位に伴うハンマー押圧突起１２の下降変位量を大きくすることができる。
　したがって、特にミニ鍵盤装置のように鍵２が小型でその回動変位量が小さい場合であっても、ハンマー押圧突起１２を十分に回動変位させることができ、２つのハンマーアーム２１、２２によるアクション荷重の付与、第１および第２のスイッチ４１、４２のスイッチオン動作を共に良好に行うことができる。
（第３実施例）
　第６図はこの発明の第３実施例における電子鍵盤楽器の鍵盤装置の要部を示したものである。
　この図において、第１図と同一名称部分には同一の符号を付し、その説明を適宜省略する。
　この第３実施例の鍵盤装置では、鍵２の下面後部に、第１図において符号１２で示すハンマー押圧突起の代わりに、２つのハンマー連結用突起６１（一方は図示せず）が互いに平行して垂設され、これらのハンマー連結用突起６１の下部間に連結ピン６２が設けられている。
　一方、第１のハンマーアーム２１の本体２３の一端部には連結用長孔６３が形成されている。
　第１のハンマーアーム２１は、連結用長孔２３を鍵盤シャーシ１に形成されたバカ孔１３を通って連結ピン６２に相対的に遊嵌された状態で、本体２３の所定の箇所を軸２８を介して楽器本体２９に上下方向に回動自在に取り付けられている。
　この第３実施例の鍵盤装置の動作は、鍵２と一体に回動変位するハンマー連結用突起６１の連結ピン６２が第１のハンマーアーム２１の連係用長孔６３の孔壁面をスライド移動しながら押圧する以外は、上記第１実施例の場合と同様であるので、その説明を省略する。
　この第３実施例の鍵盤装置で鍵２を強く弾いた場合には、押鍵の当初では、重り３５の作用により第６図において時計方向に回動変位しようとする第２のハンマーアーム２２の抵抗力が弾押上面３３を介して第１のハンマーアーム２１の押上部２５に作用することにより、第１のハンマーアーム２１の連結用長孔６３の部分が連結ピン６２との間の遊びの分だけハンマー連結用突起６１の連結ピン６２に追従せずに先行しようとするのを阻止し、そして鍵２がある程度回動変位した時点で、第２のハンマーアーム２２の被押上面３３が第１のハンマーアーム２１の押上部２５に追従せずに先行して離間し、鍵２が更にある程度回動変位した時点で、第１のハンマーアーム２１の連結用長孔６３の部分が連結ピン６２との間の遊びの分だけハンマー連結用突起６１の連結ピン６２に追従せずに先行することになる。
　このように、この第３実施例の鍵盤装置でも、上記第１実施例の場合と同様に、鍵２を強く弾いたとき、ある時点で第２のハンマーアーム２２の抵抗力からなる荷重が鍵２に付与されなくなるが、その時点では第１のハンマーアーム２１の抵抗力からなる荷重が鍵２に付与されているので、ハンマーアームの抵抗力からなるアクション荷重が一瞬のうちに消失することがなく、したがって演奏者に対して鍵２が急に軽くなるという違和感を与えることがない。
（第４実施例）
　第７図はこの発明の第４実施例における電子鍵盤楽器の鍵盤装置の要部を示したものである。
　この図において、第６図と同一名称部分には同一の符号を付し、その説明を適宜省略する。
　上記第３実施例では、鍵２の下面後部に垂設したハンマー連結用突起６１の下部の連結ピン６２に第１のハンマーアーム２１の連結用長孔６３を相対的に遊嵌させているが、この第４実施例では、鍵２の下面前部に垂設したハンマー連結用突起６１の下部の連結ピン６２に第１のハンマーアーム２１の連結用長孔６３を相対的に遊嵌させている。
　この第４実施例の鍵盤装置の動作は、上記第１および第３実施例における説明から容易に理解しうるので、その説明を省略する。
　この第４実施例の鍵盤装置でも、上記第１実施例の場合と同様に、鍵２を強く弾いたとき、ある時点で第２のハンマーアーム２２の抵抗力からなる荷重が鍵２に付与されなくなるが、その時点では第１のハンマーアーム２１の抵抗力からなる荷重が鍵２に付与されているので、ハンマーアームの抵抗力からなるアクション荷重が一瞬のうちに消失することがなく、したがって演奏者に対して鍵２が急に軽くなるという違和感を与えることがない。
（第５実施例）
　第８図はこの発明の第５実施例における電子鍵盤楽器の鍵盤装置の要部を示したものである。
　この図において、第５図と同一名称部分には同一の符号を付し、その説明を適宜省略する。
　この第５実施例の鍵盤装置では、第５図において符号１２で示すハンマー押圧突起ではなく、鍵２の下面中央部で第１のハンマーアーム２１を押圧するようになっている。
　また、第１のハンマーアーム２１は、ほぼＣ字状の取付部７１の上部にほぼＬ字状の弾押圧部７２が形成され、取付部７１の下部に重り７３を備えたり重り部７４が形成され、この重り部７４の上面によって押上面７５が形成された構造となっている。
　第１のハンマーアーム２１は、被押圧部７２の先端を鍵盤シャーシ１に形成されたバカ孔１３を通って鍵２の下面に当接された状態で、取付部７１を、鍵盤シャーシ１の下面に設けられたハンマー支持部材７６に設けられた軸７７に相対的に圧入されていることにより、該軸７７に上下方向に回動自在に取り付けられている。
　一方、第２のハンマーアーム２２は、重り８１を備えた本体８２の基端部にほぼＣ字状の取付部８３が形成され、本体８２の先端部下面に棒状の被押上部８４が形成され、本体８２の上面によってスイッチ押圧面８５が形成された構造となっている。
　第２のハンマーアーム２２は、スイッチ押圧面８５を第１および第２のスイッチ４１、４２の下方に位置させられ、かつ被押上部８４を第１のハンマーアーム２１の押上面７５に当接された状態で、取付部８３を、鍵盤シャーシ１の下面に設けられたハンマー支持部材８６に設けられた軸８７に相対的に圧入されていることにより、該軸８７に上下方向に回動自在に取り付けられている。
　この第５実施例の鍵盤装置の動作は、鍵２の下面によって第１のハンマーアーム２１の被押圧部７２の先端が押圧される以外は、上記第２実施例の場合とほぼ同様であるので、その説明を省略する。
　この第５実施例の鍵盤装置で鍵２を強く弾いた場合には、押鍵の当初では、重り８１の作用により第８図において反時計方向に回動変位しようとする第２のハンマーアーム２２の抵抗力が被押上部８４を介して第１のハンマーアーム２１の押上面７５に作用することにより、第１のハンマーアーム２１の被押圧部７２の先端が鍵２の下面に追従せずに先行しようとするのを阻止し、そして鍵２がある程度回動変位した時点で、第２のハンマーアーム２２の被押上部８４が第１のハンマーアーム２１の押上面７５に追従せずに先行して離間し、鍵２が更にある程度回動変位した時点で、第１のハンマーアーム２１の被押圧部７２の先端が鍵２の下面に追従せずに先行することになる。
　このように、この第５実施例の鍵盤装置でも、上記第１実施例の場合と同様に、鍵２を強く弾いたとき、ある時点で第２のハンマーアーム２２の抵抗力からなる荷重が鍵２に付与されなくなるが、その時点では第１のハンマーアーム２１の抵抗力からなる荷重が鍵２に付与されているので、ハンマーアームの抵抗力からなるアクション荷重が一瞬のうちに消失することがなく、したがって演奏者に対して鍵２が急に軽くなるとうい違和感を与えることがない。
（第６実施例）
　第９図はこの発明の第６実施例における電子鍵盤楽器の鍵盤装置の要部を示したものである。
　この図において、第８図と同一名称部分には同一の符号を付し、その説明を適宜省略する。
　この第６実施例の鍵盤装置では、鍵２が強く弾かれたとき、第１のハンマーアーム２１が急激に回動変位しようとするのをより一層防止するために、第１のハンマーアーム２１とハンマー支持部材７６との間に圧縮コイルばね９１が設けられている。
　このため、第１のハンマーアーム２１の重り部７４の上面とハンマー支持部材７６の下面の各所定の箇所には、圧縮コイルばね９１の下端部と上端部をそれぞれ支持するための支持突起９２、９３が形成されている。
　なお、ハンマー支持部材７６の上面の所定の箇所には、鍵盤シャーシ１に形成された係止孔９４に係止される係止片９５が形成されている。
　この第６実施例の鍵盤装置の動作は、第１のハンマーアーム２１が圧縮コイルばね９１の力に抗して反時計方向に回動変位する以外は、上記第５実施例の場合と同様であるので、その説明を省略する。
　ここで、この第６実施例の鍵盤装置で第１のハンマーアーム２１の部分を組付ける場合について説明する。
　この場合には、まず、第１のハンマーアーム２１の取付部７１をハンマー支持部材７６の軸７７に相対的に圧入する。
　次に、圧縮コイルばね９１の上端部をハンマー支持部材７６の支持突起９３の相対的に圧入する。
　次に、第１のハンマーアーム２１の被押圧部７２を鍵盤シャーシ１のバカ孔１３に下側から挿入し、次いでハンマー支持部材７６の係止片９５を鍵盤シャーシ１の係止孔９４に下側からただ単に挿入する。
　次に、第１のハンマーアーム２１を第９図において反時計方向に回動させ、その支持突起９２を圧縮コイルばね９１の下端部に圧入し、次いでこの状態を維持しながらハンマー支持部材７６を同図において右方向にスライド移動させ、このハンマー支持部材７６の係止片９５を係止孔９４に係止させる。
　この状態で鍵２が装着されていない場合には、第１のハンマーアーム２１が圧縮コイルばね９１の力によって時計方向に付勢されるが、その被押圧部７２の基端部の第９図における右側がバカ孔１３の右側の孔壁１３ａに当接する位置に保持されることになる。
　鍵２が装着された場合には、第９図において実線で示すように、鍵２の下面が第１のハンマーアーム２１の被押圧部７２の先端を押圧することにより、第１のハンマーアーム２１が反時計方向に回動し、被押圧部７２の基端部の右側がバカ孔１３の右側の孔壁面１３ａから所定の距離だけ離間する状態となる。
（第７実施例）
　第１０図はこの発明の第７実施例における電子鍵盤楽器の鍵盤装置の要部を示したものである。
　この図において、第８図と同一名称部分には同一の符号を付し、その説明を適宜省略する。
　この第７実施例の鍵盤装置では、第１のハンマーアーム２１と左右の横ぶれを阻止すると共に、第１のハンマーアーム２１による抵抗力を増大するために、第１のハンマーアーム２１の被押圧部７２の回動変位をガイドするための一対のガイド部材１０１（一方は図示せず）が設けられている。
　このため、鍵盤シャーシ１の上面の所定の箇所にはガイド支持部材１０２がビス１０３によって取り付けられている。
　ガイド支持部材１０２の一対の起立片１０４（一方は図示せず）にほ棒状のガイド部材１０１がそれぞれ一体形成されている。
　一対のガイド部材１０１は第１のハンマーアーム２１の被押圧部７２の近傍に配置されている。
　そして、鍵２の押鍵操作に伴って第１のハンマーアーム２１が第１０図において反時計方向に回動変位すると、この回動変位する第１のハンマーアーム２１の被押圧部７２の一部が一対のガイド部材１０１間に進入することにより、第１のハンマーアーム２１の左右の横ぶれが阻止され、また被押圧部７２の一部が一対のガイド部材１０１と摺接または圧接することにより、摩擦抵抗力が発生し、この発生した摩擦抵抗力の分だけ第１のハンマーアーム２１による抵抗力が増大し、より大きなアクション荷重が鍵２に付与されることになる。
　被押圧部７２および一対のガイド部材１０１の横断面形状は、特に限定されるものではないが、被押圧部７２の一対のガイド部材１０１に対する進入および退出がスムーズに行われるようにするために、いずれか一方または双方にテーパ部を設けるようにしてもよい。
　この第７実施例の鍵盤装置の動作は、第１のハンマーアーム２１の被押圧部７２の回動変位が一対のガイド部材１０１にガイドされる以外は、上記第５実施例の場合と同様であるので、その説明を省略する。
（第８実施例）
　第１１図はこの発明の第８実施例における電子鍵盤楽器の鍵盤装置の要部を示したものである。
　この図において、第８図と同一名称部分には同一の符号を付し、その説明を適宜省略する。
　上記第５実施例では、鍵盤シャーシ１の下方に設けた軸７７の第１のハンマーアーム２１を回転自在に取り付けているが、この第８実施例では、鍵２の両側板６間に軸１１１を設け、この軸１１１に第１のハンマーアーム２１を回動自在に取り付けている。
　また、第１のハンマーアーム２１は、ほぼＬ字状の本体１１２の一端部先端にほぼＣ字状の取付部１１３が形成され、本体１１２の一端部の第１１図における左側面によって所定の形状の被ガイド面１１４が形成され、本体１１２の他端部に重り１１５が設けられ、本体１１２の他端部の先端面によって押圧面１１６が形成された構造となっている。
　第１のハンマーアーム２１は、重り１１５の部分を鍵盤シャーシ１の下方に位置させられ、かつ被ガイド面１１４を、鍵盤シャーシ１のバカ孔１３の第１１図における左側の孔壁部に一体形成されたポリ四ふっ化エチレン樹脂等の合成樹脂からなるガイド部材１１７に当接された状態で、取付部１１３を鍵２の両側板６間に設けられた軸１１１に相対的に圧入されていることにより、該軸１１１に上下方向に回動自在に取り付けられている。
　一方、第２のハンマーアーム２２は、ほぼＣ字状の取付部１２１の一部に棒状の被押圧部１２２が形成され、取付部１２１の他部に重り１２３を備えた重り部１２４が形成され、この重り部１２４の上面によってスイッチ押圧面１２５が形成された構造となっている。
　第２のハンマーアーム２２は、スイッチ押圧面１２５を第１および第２のスイッチ４１、４２の下方に位置させられ、かつ被押圧部１２２を第１のハンマーアーム２１の押圧面１１６に当接された状態で、取付部１２１を鍵盤シャーシ１の下方に設けられた軸１２６に相対的に圧入されていることにより、該軸１２６に上下方向に回動自在に取り付けられている。
　この第８実施例の鍵盤装置で鍵２が圧縮コイルばね５のばね力に抗して押鍵されると、鍵２は軸４を中心にして第１１図において反時計方向に回動変位する。
　すると、鍵２と共に軸１１１が回動変位することにより、第１のハンマーアーム２１が下降しつつ、その被ガイド面１１４をガイド部材１１７にガイドされることにより、軸１１１を中心にして第１１図において反時計方向に回動変位する。
　また、この下降しつつ回動変位する第１のハンマーアーム２１の押圧面１１６が第２のハンマーアーム２２の被押押圧部１２２を押圧し、第２のハンマーアーム２２が軸１２６を中心にして第１１図において反時計方向に回動変位する。
　このとき、重り１１５の作用によって第１１図において反時計方向に回動変位しようとする第１のハンマーアーム２１の抵抗力が軸１１１を介して鍵２にアクション荷重として作用し、また重り１２４の作用によって第１１図において時計方向に回動変位しようとする第２のハンマーアーム２２の抵抗力が第１のハンマーアーム２１を介して鍵２にアクション荷重として作用し、鍵２に大きなアクション荷重が付与されることになる。
　また、第１１図において一点鎖線で示すように、第２のハンマーアーム２２のスイッチ押圧面１２５が第１および第２のスイッチ４１、４２を共に押圧し、第１と第２のスイッチ４１、４２がある時間差をもって順次スイッチオンとなる。
　この第８実施例の鍵盤装置では、第１のハンマーアーム２１の取付部１１３が軸１１１を介して鍵２の両側板６に取り付けられているので、第１のハンマーアーム２１の取付部１１３を鍵２と共に回動変位する軸１１１に常に追従させることができ、このため鍵２が強く弾かれた場合でも、ハンマーアームの抵抗力からなるアクション荷重が一瞬のうちに消失することがなく、したがって演奏者に対して鍵２が急に軽くなるという違和感を与えることがない。
（第９実施例）
　第１２図はこの発明の第９実施例における電子鍵盤楽器の鍵盤装置の要部を示したものである。
　この図において、第１１図と同一名称部分には同一の符号を付し、その説明を適宜省略する。
　上記第１〜第８実施例では、鍵盤シャーシ１の上面に回路基板４４を設け、この回路基板４４の下面に設けた第１および第２のスイッチ４１、４２を鍵盤シャーシ１のバカ孔４５、４６を通して鍵盤シャーシ１の下方に突出させ、鍵盤シャーシ１の下方に設けた第２のハンマーアーム２２によって第１および第２のスイッチ４１、４２を押圧するようにしている。
　これに対して、この第９実施例では、鍵盤シャーシ１の下面に回路基板４４を設け、この回路基板４４の上面に設けた第１および第２のスイッチ４１、４２を鍵盤シャーシ１のバカ孔４５、４６を通して鍵盤シャーシ１の上方に突出させ、鍵盤シャーシ１の上方に設けた第２のハンマーアーム２２によって第１および第２のスイッチ４１、４２を押圧するようになっている。
　また、第２のハンマーアーム２２は、ほぼＣ字状の取付部１３１の一方側に重り１３２を備えた重り部１３３が形成され、この重り部１３３の下端下面に棒状の被押圧部１３４が形成され、取付部１３１の他方側にスイッチ押圧部１３５が形成された構造となっている。
　第２のハンマーアーム２２は、スイッチ押圧部１３５を第１および第２のスイッチ４１、４２の上方に位置させられ、かつ被押上部１３４を、鍵盤シャーシ１に形成されたバカ孔１３６を通って、第１のハンマーアーム２１の重り１１５を備えた部分の上面によって形成された押上面１３７に当接された状態で、取付部１３１を、鍵盤シャーシ１の上面に設けられたハンマー支持部材１３８に設けられた軸１３９に相対的に圧入されていることにより、該軸１３９に上下方向に回動自在に取り付けられている。
　この第９実施例の鍵盤装置の動作は、上記第８実施例における説明から容易に理解しうるので、その説明を省略する。
　この第９実施例の鍵盤装置でも、上記第８実施例の場合と同様に、第１のハンマーアーム２１の取付部１１３が軸１１１を介して鍵２の両側板６に取り付けられているので、第１のハンマーアーム２１の取付部１１３を鍵２と共に回動変位する軸１１１に常に追従させることができ、このため鍵２が強く弾かれた場合でも、ハンマーアームの抵抗力からなるアクション荷重が一瞬のうちに消失することがなく、したがって演奏者に対して鍵２が急に軽くなるという違和感を与えることがない。
（第１０実施例）
　第１３図はこの発明の第１０実施例における電子鍵盤楽器の鍵盤装置の要部を示したものである。
　この図において、第１２図と同一名称部分には同一の符号を付し、その説明を適宜省略する。
　上記第９実施例では、鍵２と第１のハンマーアーム２１と軸１１１で連結しているが、この第１０実施例では、第１のハンマーアーム２１と第２のハンマーアーム２２とを連結ピン１５３で連結している。
　このため、この第１０実施例の鍵盤装置では、鍵２の下面前部に横断面ほぼＨ字状のハンマー押圧突起１４１が垂設されている。
　一方、第１のハンマーアーム２１は、ほぼＬ字状の本体１４２の一端部先端にほぼＣ字状の取付部１４３が形成され、本体１４２の一端部の第１３図における左側面によって所定の形状の被押圧面１４４が形成され、本体１４２の一端部の同図における左部上面によってストッパ面１４５が形成され、本体１４２の他端部下部に重り１４６が設けられ、本体１４２の他端部上部に長孔１４７が形成された構造となっている。
　第１のハンマーアーム２１は、重り１４６の部分を鍵盤シャーシ１の下方に位置させられ、かつストッパ面１４５を鍵盤シャーシ１の下面に設けられた緩衝部材９に当接された状態で、取付部１４３を鍵盤シャーシ１の上方に設けられた軸１４８に相対的に圧入されていることにより、該軸１４８に上下方向に回動自在に取り付けらている。
　また、通常の状態では、第１のハンマーアーム２１の被押圧面１４４は、ハンマー押圧突起１４１の下端面と軽く接触しているか、もしくは若干離間する位置にある。
　また、第２のハンマーアーム２２は、ほぼＣ字状の取付部１５１の一方側に連結アーム部１５２が形成され、この連結アーム部１５２の先端部に連結ピン１５３が形成され、取付部１５１の他方側にスイッチ押圧部１５４が形成された構造となっている。
　第２のハンマーアーム２２は、スイッチ押圧部１５４を第１および第２のスイッチ４１、４２の上方に位置させられ、かつ連結ピン１５３を、鍵盤シャーシ１に形成されたバカ孔１５５を通って、第１のハンマーアーム２１の長孔１４７に遊嵌された状態で、取付部１５１を鍵盤シャーシ１の上方に設けられた軸１５６に相対的に圧入されていることにより、該軸１５６に上下方向に回動自在に取り付けられている。
　この第１０実施例の鍵盤装置で鍵２が圧縮コイルばね５のばね力に抗して押鍵されると、鍵２は軸４を中心にして第１３図において反時計方向に回動変位する。
　すると、鍵２と一体的３に回動変位するハンマーアーム押圧突起１４１の下端面が第１のハンマーアーム２１の被押圧面１４４を押圧し、第１のハンマーアーム２１が軸１４８を中心にして第１３図において本時計方向に回動変位する。
　また、この回動変位する第１のハンマーアーム２１の長孔１４７の孔壁面が第２のハンマーアーム２２の連結ピン１５３を押圧することにより、連結ピン１５３が長孔１４７をスライド移動し、これに伴い第２のハンマーアーム２２が軸１５１を中心にして第１３図において時計方向に回動変位する。
　このとき、重り１４６の作用によって第１３図において時計方向に回動変位しようとする第１のハンマーアーム２１の抵抗力が被押圧面１４４を介してハンマー押圧突起１４１の下端面にアクション荷重として作用し、また連結ピン１５３が長孔１４７をスライド移動するときに生じる摩擦抵抗力が第１のハンマーアーム２１を介してハンマーアーム押圧突起１４１の下端面にアクション荷重として作用し、鍵２に大きなアクション荷重が付与されることになる。
　また、第１３図において一点鎖線で示すように、第２のハンマーアーム２２のスイッチ押圧部１５４が第１および第２のスイッチ４１、４２を共に押圧し、第１と第２のスイッチ４１、４２がある時間差をもって順次スイッチオンとなる。
　この第１０実施例の鍵盤装置では、第２のハンマーアーム２２の連結ピン１５３が第１のハンマーアーム２１の長孔１４７に遊嵌されているので、第１のハンマーアーム２１が急激に回動変位しようとするのを第２のハンマーアーム２２が阻止することとなり、このため鍵２が強く弾かれた場合でも、ハンマーアームの抵抗力からなるアクション荷重が一瞬のうちに消失することがなく、したがって演奏者に対して鍵２が急に軽くなるという違和感を与えることがない。
（第１１実施例）
　第１４図はこの発明の第１１実施例における電子鍵盤楽器の鍵盤装置の要部を示したものである。
　この図において、第８図と同一名称部分には同一の符号を付し、その説明を適宜省略する。
　上記第１〜第１０実施例では、鍵２の下方に第１および第１のスイッチ４１、４２を設けているが、この第１１実施例では、鍵２の後方に第１および第２のスイッチ４１、４２を設けている。
　すなわち、この第１１実施例の鍵盤装置では、鍵２の後方における鍵盤シャーシ１の上面に回路基板４４が設けられ、この回路基板４４の下面に設けられた第１および第２のスイッチ４１、４２が鍵盤シャーシ１に形成されたバカ孔４５、４６を通って鍵盤シャーシ１の下方に突出されている。
　一方、第１のハンマーアーム２１は、ほぼＣ字状の取付部１６１の一方側に棒状の被押圧部１６２が形成され、取付部１６１の他方側に重り１６３を備えた重り部１６４が形成され、この重り部１６４の先端部上面に断面半球状の押上部１６５が形成された構造となっている。
　第１のハンマーアーム２１は、重り１６３の部分を鍵盤シャーシ１の下方に位置させられ、かっ被押圧部１６２の先端を鍵盤シャーシ１に形成されたバカ孔１３を通って鍵２の下面に当接された状態で、取付部１６１を鍵盤シャーシ１の上方に設けられた軸１６６に相対的に圧入されていることにより、該軸１６６に上下方向に回動自在に取り付けられている。
　また、第２のハンマーアーム２２は、重り１７１を備えた本体１７２の基端部にほぼＣ字状の取付部１７３が形成され、本体１７２の下面によって被押上面１７４の一方側に連結アーム部が形成され、本体１７２の上面によってスイッチ押圧面１７５が形成された構造となっている。
　第２のハンマーアーム２２は、スイッチ押圧面１７５を第１および第２のスイッチ４１、４２の下方に位置させられ、かつ被押上面１７４を第１のハンマーアーム２１の押上部１６５に当接された状態で、取付部１７３を鍵盤シャーシ１の下方に設けられた軸１７６に相対的に圧入されていることにより、該軸１７６に上下方向に回動自在に取り付けられている。
　この第１１実施例の鍵盤装置の動作は、上記第１および第５実施例における説明から容易に理解しうるので、その説明を省略する。
　この第１１実施例の鍵盤装置で鍵２を強く弾いた場合には、押鍵の当初では、重り１７１の作用により第１４図において時計方向に回動変位しようとする第２のハンマーアーム２２の抵抗力が被押上面１７４を介して第１のハンマーアーム２１の押上部１６５に作用することにより、第１のハンマーアーム２１の被押圧部１６２の先端が鍵２の下面に追従せずに先行しようするのを阻止し、そして鍵２がある程度回動変位した時点で、第２のハンマーアーム２２の被押上面１７４が第１のハンマーアーム２１の押上部１６５に追従せずに先行して離間し、鍵２が更にある程度回動変位した軸点で、第１のハンマーアーム２１の被押圧部１６２の先端が鍵２の下面に追従せずに先行することになる。
　このように、この第１１実施例の鍵盤装置でも、上記第５実施例の場合と同様に、鍵２を強く弾いたとき、ある時点で第２のハンマーアーム２２の抵抗力からなる荷重が鍵２に付与されなくなるが、その時点では第１のハンマーアーム２１の抵抗力からなる荷重が鍵２に付与されているので、ハンマーアームの抵抗力からなるアクション荷重が一瞬のうちに消失することがなく、したがって演奏者に対して鍵２が急に軽くなるという違和感を与えることがない。
（第１２実施例）
　第１５図はこの発明の第１２実施例における電子鍵盤楽器の鍵盤装置の要部を示したものである。
　この図において、第１４図と同一名称部分には同一の符号を付し、その説明を適宜省略する。
　上記第１〜第１１実施例では、鍵２の下方に第１および第２のハンマーアーム２１、２２を設けているが、この第１２実施例では、鍵２の後部上方に第１および第２のハンマーアーム２１、２２を設けている。
　すなわち、この第１２実施例の鍵盤装置では、鍵２自体がその回動中心（軸４）よりも後方にある程度延ばされ、この延ばされた後部２ａが鍵盤シャーシ１に形成された鍵挿通孔１８１を通って、鍵盤シャーシ１の後部１ａ下方に配置されている。
　第１および第２のスイッチ４１、４２は、鍵盤シャーシ１の後部１ａの上面に設けられた回路基板４４の下面に設けられ、鍵盤シャーシ１の後部１ａに形成されたバカ孔４５、４６を通って鍵盤シャーシ１の下方に突出されている。
　第１のハンマーアーム２１は、ほぼＣ字状の取付部１８２の上部に棒状の押上部１８３が形成され、取付部１８２の下部に棒状のストッパ部１８４が形成され、取付部１８２の側部に被ストッパ部１８５が形成された構造となっている。
　第１のハンマーアーム２１は、押上部１８３の先端を鍵盤シャーシ１の後部１ａに形成されたバカ孔１８６を通って鍵盤シャーシ１の後部１ａの上方に突出され、かつ被ストッパ部１８５を鍵盤シャーシ１の後部１ａ下面に設けられたストッパ１８７と対向させられた状態で、取付部１８２を、鍵２の後部２ａ上面に設けられたハンマー支持部材１８８に設けられた軸１８９に相対的に圧入されていることにより、該軸１８９に上下方向に回動自在に取り付けられている。
　第１のハンマーアーム２１は、被ストッパ部１８５の下面と鍵２の後部２ａ上面との間に設けられた圧縮コイルばね１９０の力により、第１５図において時計方向に付勢されているが、通常は、ストッパ部１８４の下端が鍵２の後部２ａ上面と当接することにより、所定の初期位置に位置決めされている。
　第２のハンマーアーム２２は、先端部に重り１９１を備えた本体１９２の基端部にほぼＣ字状の取付部１９３が形成され、本体１９２の基端側下面によって被押上面１９４が形成され、本体１９２の先端部上面によってスイッチ押圧面１９５が形成された構造となっている。
　第２のハンマーアーム２２は、スイッチ押圧面１９５を第１および第２のスイッチ４１、４２の下方に位置させられ、かつ被押上面１９４を第１のハンマーアーム２１の押上部１８３の上端に当接された状態で、取付部１９３を、鍵盤シャーシ１の後部１ａ上方に設けられた軸１９６に相対的に圧入されていることにより、該軸１９６に上下方向に回動自在に取り付けられている。
　この第１２実施例の鍵盤装置で鍵２が圧縮コイルばね５のばね力に抗して押鍵されると、鍵２は軸４を中心にして第１５図において反時計方向に回動変位する。
　すると、第１のハンマーアーム２１は、被ストッパ部１８５がストッパ１８７に当接することにより、圧縮コイルばね１９０の力に抗して、軸１８９を中心にして第１５図において反時計方向に回動変位する。
　また、この回動変位する第１のハンマーアーム２１の押上部１８３が第２のハンマーアーム２２の被押上面１９４を押し上げ、第２のハンマーアーム２２が軸１９６を中心にして第１５図において反時計方向に回動変位する。
　このとき、圧縮コイルばね１９０の作用によって第１５図において時計方向に回動変位しようとする第１のハンマーアーム２１の抵抗力が軸１８９を介して鍵２にアクション荷重として作用し、また重り１９１の作用によって第１５図において時計方向に回動変位しようとする第２のハンマーアーム２２の抵抗力が第１のハンマーアーム２１を介して鍵２にアクション荷重として作用し、鍵２に大きなアクション荷重が付与されることになる。
　また、第１５図において一点鎖線で示すように、第２のハンマーアーム２２のスイッチ押圧面１９５が第１および第２のスイッチ４１、４２を共に押圧し、第１と第２のスイッチ４１、４２がある時間差をもって順軸スイッチオンとなる。
　この第１２実施例の鍵盤装置でも、上記第８実施例の場合と同様に、第１のハンマーアーム２１の取付部１８２が軸１８９等を介して鍵２に取り付けられているので、第１のハンマーアーム２１の取付部１８２を鍵２と共に回動変位する軸１８９に常に追従させることができ、このため鍵２が強く弾かれた場合でも、ハンマーアームの抵抗力からなるアクション荷重が一瞬のうちに消失することがなく、したがって演奏者に対して鍵２が急に軽くなるという違和感を与えることがない。
（第１３実施例）
　第１６図はこの発明の第１３実施例における電子鍵盤楽器の鍵盤装置の要部を示したものである。
　この図において、第１図と同一名称部分には同一の符号を付し、その説明は省略する。
　前述の第１〜第１２実施例では、鍵２の下方に第１およ第２のハンマーアーム２１、２２の２つのハンマーアームを設けているが、この第１３実施例では、この第１および第２のハンマーアーム２１、２２の間に、第１のハンマーアーム２１の回動変位を、第２のハンマーアーム２２に伝達する伝達アーム２２Ａを設けている。
　また、前記第２のハンマーアーム２２の押圧部側と対向した鍵盤シャーシ１には、第１および第２のスイッチ４１、４２を設けている。
　この第１３実施例の鍵盤装置でも、前記第１実施例の場合と同様に、鍵２を押鍵操作すると、第１のハンマーアーム２１の回動変位は、前記伝達アーム２２Ａに伝達され、この伝達アーム２２Ａは軸３６Ａを中心として、反時計方向に回動するため、この伝達アーム２２Ａの回動変位が第２のハンマーアーム２２に伝達され、この結果、この第２のハンマーアーム２２により、第１および第２のスイッチ４１、４２をそれぞれスイッチング動作させることができる。
　なお、上記各実施例では、タッチレスポンスデータ検出用のスイッチを第２のハンマーアームで順次スイッチングするようにしているが、楽音の発音開始指示用の１つのスイッチを第２のハンマーアームでスイッチングするようにしてもよい。
　また、上記各実施例では、タッチレスポンスデータ検出用のスイッチを２つ設けた場合について説明したが、３つ以上設け、より多くのタッチレスポンスデータを得るようにすることも可能である。
　また、タッチレスポンスデータ検出のために、スイッチを２つ設ける代わりに、２段式スイッチを１つ設けるようにしてもよい。
　ここでいう２段式スイッチとは、例えば第１７図に示すように、押圧されると、弾性材料からなるスイッチ本体２０１が弾性変形して、まずスイッチ本体２０１の下面周囲に設けられた第１の可動接点２０２が回路基板２０３上の一対の第１の固定接点２０４、２０５と接触し、次いでスイッチ本体２０１の下面中央部に設けられた第２の可動接点２０６が回動基板２０３上の一対の第２の固定接点２０７、２０８と接触するような構成のスイッチのことをいう。
　更に、このようなスイッチの代わりに、第１８図に示すように、圧電素子等の感圧型のセンサ２０１Ａを用いて、鍵の押圧操作に対応した圧力を検出し、該圧力に対応した、発生すべき楽音の発音開始指示信号または楽音特性指示信号を出力するようにしてもよい。
［発明の効果］
　以上説明したように、この発明によれば、鍵の押鍵に伴って第１のハンマーアームが回動変位したときに、これに連動して第２のハンマーアームが回動変位して発音指示手段を押圧するようにしているので、鍵を強く弾いても、少なくとも押鍵の当初段階では第１のハンマーアームを鍵の回動変位に追従させることができ、したがってハンマーアームの抵抗力からなるアクション荷重が鍵に一瞬のうちに付与されなくならないようにすることができ、演奏者に対して鍵が急に軽くなるという違和感を与えることがないようにすることができる。
【図面の簡単な説明】
　第１図はこの発明の第１実施例における電子鍵盤楽器の鍵盤装置の要部を示す縦断側面図、第２図はこの鍵盤装置のスイッチの部分を示す縦断側面図、第３図は第１と第２のスイッチの動作を説明するために示すタイミング図、第４Ａ図および第４Ｂ図はこの鍵盤装置における鍵の変位と鍵に付与される荷重との関係を示す図、第５図はこの発明の第２実施例における電子鍵盤楽器の鍵盤装置の要部を示す縦断側面図、第６図はこの発明の第３実施例における電子鍵盤楽器の鍵盤装置の要部を示す縦断側面図、第７図はこの発明の第４実施例における電子鍵盤楽器の鍵盤装置の要部を示す縦断側面図、第８図はこの発明の第５実施例における電子鍵盤楽器の鍵盤装置の要部を示す縦断側面図、第９図はこの発明の第６実施例における電子鍵盤楽器の鍵盤装置の要部を示す縦断側面図、第１０図はこの発明の第７実施例における電子鍵盤楽器の鍵盤装置の要部を示す縦断側面図、第１１図はこの発明の第８実施例における電子鍵盤楽器の鍵盤装置の要部を示す縦断側面図、第１２図はこの発明の第９実施例における電子鍵盤楽器の鍵盤装置の要部を示す縦断側面図、第１３図はこの発明の第１０実施例における電子鍵盤楽器の鍵盤装置の要部を示す縦断側面図、第１４図はこの発明の第１１実施例における電子鍵盤楽器の鍵盤装置の要部を示す縦断側面図、第１５図はこの発明の第１２実施例における電子鍵盤楽器の鍵盤装置の要部を示す縦断側面図、第１６図はこの発明の第１３実施例における電子鍵盤楽器の鍵盤装置の要部を示す縦断側面図、第１７図はスイッチ他の例を示す縦断側面図、第１８図は感圧型のセンサの例を示す縦断面図である。
　１……鍵盤シャーシ、２……鍵、２１……第１のハンマーアーム、２２……第２のハンマーアーム、２２Ａ……伝達アーム、４１……第１のスイッチ、４２……第２のスイッチ。